(57)【要約】【課題】外方へ張り出す外枠の枠体をなくしてマンション室内でもスペース確保が容易で、さらに軽量化を進めて吊るし易く、扱い易くし、且つ落ちても割れない額縁を提供する。【解決手段】樹脂製の透視板1と、透視板1の裏面側で、その外周縁16から内側中央に向かう膜幅Wを有し、中央側を中空部Sにして外周縁16の周囲を枠状に囲う塗膜又はフィルムで形成され、透視板裏面11に固着一体化される不透明の縁飾り用皮膜2と、皮膜2に係る内周縁部分の裏面21を露出部分27として残して、皮膜裏面21に被着一体化される枠状の堤部3と、透視板1と別体の板状体にして、主要部44を中空部Sにおさまる透視板1の透視裏面110に当てるように配されるシート状飾品4へ、押え面50側があてがわれ、且つ背面側外周部551が堤部3に設けた止具Tにより係止されて、堤部3に保持される裏当て材5と、を具備する。【選択図】図１
2014061076.tif 000002
【特許請求の範囲】
【請求項１】
樹脂製の透視板(1)と、
該透視板(1)の裏面(11)側で、その外周縁(16)域から内側中央に向かう膜幅(W)を有し、中央側を中空部(S)にして該外周縁(16)の周囲を枠状に囲う塗膜又はフィルムで形成され、透視板裏面(11)に固着一体化される不透明の縁飾り用皮膜(2)と、
該皮膜(2)に係る内周縁部分の裏面(21)を露出部分(27)として残して、皮膜裏面(21)に被着一体化される枠状の堤部(3)と、
前記透視板(1)と別体の板状体にして、前記中空部(S)におさまる前記透視板(1)の透視裏面(110)に主要部(44)を当てるように配するシート状飾品(4)へ、押え面(50)側があてがわれ、且つ背面側外周部(551)が前記堤部(3)に設けた止具(T)により係止されて、該堤部(3)に保持される裏当て材(5)と、を具備することを特徴とする額縁。
【請求項２】
前記透視板(1)を方形板状にし、さらに前記皮膜(2)が、前記透視板(1)の裏面(11)側で、その外周縁(16)から内側中央に向かう膜幅(W)を有して、該外周縁(16)の周囲を囲う中空四角形をなし、且つスクリーン印刷による塗膜で形成される請求項１記載の額縁。
【請求項３】
前記皮膜(2)が、前記透視板(1)の裏面(11)側で、その外周縁(16)から内側中央に向かう膜幅(W)を有して、該外周縁(16)の周囲を囲う横長の中空四角形した縁飾り用外周皮膜(2a)に加え、横長の中空四角形に係る両長辺部(23)間を接続する帯状の間仕切り膜(2b)を備え、該間仕切り膜が、該外周皮膜（2a）でつくる中空部(S)を、前記シート状飾品(4)が配される第1中空部(S1)と、賞牌(D)が配される第2中空部(S2)とに分割し、さらに前記堤部(3)が、該外周皮膜(2a)に対応する方形枠体状の横長枠状堤部(3a)に加え、該間仕切り膜(2b)に対応する箇所に間仕切り堤部(3b)を備える請求項２に記載の額縁。
【請求項４】
前記第1中空部(S1)を取り囲む前記堤部(3)内に収まる大きさの発泡樹脂成形板にして、前記透視板(1)の透視裏面(110)に主要部(44)を当てるように配するシート状飾品(4)の裏面(41)に、押当て面(60)が当接するスペーサ(6)と、
前記第2中空部(S2)を取り囲む前記堤部(3)内に収まる板状片(7a)の表板側に有色材(7b)を設け、該有色材を施した表面(70)側に前記賞牌(D)が載置されるようにした受片(7)と、をさらに具備し、
前記スペーサ(6)の背面(61)と、第2中空部(S2)におさまる前記透視板(1)の透視裏面(110)に該賞牌(D)側を当てるように配した賞牌(D)付き受片(7)の背面(71)と、の双方に、前記裏当て材(5)の押え面(50)が当接する請求項３記載の額縁。
【請求項５】
前記間仕切り膜(2b)が、その両側縁に沿って前記第1中空部(S1)側、前記第2中空部(S2)側へそれぞれはみ出す一定幅の余裕代部分(28)をさらに備え、且つ該余裕代部分(28)と前記露出部分(27)とで、第1中空部(S1)及び第2中空部(S2)の周縁を周回する均整代部分(26)を形成し、第1中空部(S1)の該均整代部分(26)に、シート状飾品(4)に係る周縁部分(45)の全周を重ね、該シート状飾品(4)の主要部(44)が第1中空部内の前記透視板(1)の透視裏面(110)に当てるように配されると共に、第2中空部(S2)の該均整代部分(26)に、受片(7)に係る周縁部分(75)の全周を重ねて、受片(7)の主部(74)が第2中空部(S2)内の前記透視板(1)の透視裏面(110)に当てるように配される請求項４記載の額縁。
【発明の詳細な説明】
【技術分野】
【０００１】
本発明は、叙勲(勲章又は褒章)の受章を証する表彰状や受章を祝う写真、さらにその賞牌を収めて飾るのに、特に好適な額縁に関する。
【背景技術】
【０００２】
我国には勲章・褒章制度があり、国家等に対し功労のある人、社会の各分野で優れた行いのある人を表彰している。受賞の栄に浴された方々は、栄誉のしるしとして勲章・褒章等の賞牌及び賞状をいただく。さらに受賞者は宮中等での記念撮影を行い、その写真も大切な記念品として残る。
そして、これらを室内に飾るための額縁の発明が提案されている（例えば特許文献１）。
【先行技術文献】
【特許文献】
【０００３】
【特許文献１】実用新案登録第３１１７７４５号公報
【発明の開示】
【発明が解決しようとする課題】
【０００４】
しかるに、特許文献１を初め、従来の額縁は以下のような問題を抱えていた。
まず、特許文献１の段落００１７に記載のように、「この叙勲記念用額縁１０の前面には、枠体２０と飾り板１４の縁部に挟持される透明のガラス板２２が設けられて」おり、該ガラス板の重量が重かった。勲章・褒章に関係する賞状,写真が特に大きいために、その分、比重大のガラス板も大きくなり重たくなっていた。壁に吊し、重くて落ちたりすると、該ガラス板が割れる虞もあった。
加えて、勲章・褒章の賞状等が大きいのに、これらの外周を取り囲むように飾り板が存在し、また該飾り板の外周縁には、ここからさらに外方へ張り出して囲う枠体２０が存在するために、額縁は一層大きなものになっていた。
最近は受章者でマンション住まいの方も大勢おられ、特許文献１の叙勲用額縁等ではそれをマンション室内で飾るためのスペース確保が難しくなっていた。
【０００５】
本発明は、上記問題点を解決するもので、外方へ張り出す外枠の枠体をなくしてマンション室内でもスペース確保が容易で、さらに軽量化を進めて吊るし易く、扱い易くし、且つ落ちても割れない額縁を提供することを目的とする。
【課題を解決するための手段】
【０００６】
上記目的を達成すべく、請求項１に記載の発明の要旨は、樹脂製の透視板(1)と、
該透視板(1)の裏面(11)側で、その外周縁(16)域から内側中央に向かう膜幅(W)を有し、中央側を中空部(S)にして該外周縁(16)の周囲を枠状に囲う塗膜又はフィルムで形成され、透視板裏面(11)に固着一体化される不透明の縁飾り用皮膜(2)と、  該皮膜(2)に係る内周縁部分の裏面(21)を露出部分(27)として残して、皮膜裏面(21)に被着一体化される枠状の堤部(3)と、前記透視板(1)と別体の板状体にして、前記中空部(S)におさまる前記透視板(1)の透視裏面(110)に主要部(44)を当てるように配するシート状飾品(4)へ、押え面(50)側があてがわれ、且つ背面側外周部(551)が前記堤部(3)に設けた止具(T)により係止されて、該堤部(3)に保持される裏当て材(5)と、を具備することを特徴とする額縁にある。
請求項２の発明たる額縁は、請求項１で、透視板(1)を方形板状にし、さらに前記皮膜(2)が、前記透視板(1)の裏面(11)側で、その外周縁(16)から内側中央に向かう膜幅(W)を有して、該外周縁(16)の周囲を囲う中空四角形をなし、且つスクリーン印刷による塗膜で形成されることを特徴とする。請求項３の発明たる額縁は、請求項２で、皮膜(2)が、前記透視板(1)の裏面(11)側で、その外周縁(16)から内側中央に向かう膜幅(W)を有して、該外周縁(16)の周囲を囲う横長の中空四角形した縁飾り用外周皮膜(2a)に加え、横長の中空四角形に係る両長辺部(23)間を接続する帯状の間仕切り膜(2b)を備え、該間仕切り膜が、該外周皮膜（2a）でつくる中空部(S)を、前記シート状飾品(4)が配される第1中空部(S1)と、賞牌(D)が配される第2中空部(S2)とに分割し、さらに前記堤部(3)が、該外周皮膜(2a)に対応する方形枠体状の横長枠状堤部(3a)に加え、該間仕切り膜(2b)に対応する箇所に間仕切り堤部(3b)を備えることを特徴とする。
請求項４の発明たる額縁は、請求項３で、第1中空部(S1)を取り囲む前記堤部(3)内に収まる大きさの発泡樹脂成形板にして、前記透視板(1)の透視裏面(110)に主要部(44)を当てるように配するシート状飾品(4)の裏面(41)に、押当て面(60)が当接するスペーサ(6)と、前記第2中空部(S2)を取り囲む前記堤部(3)内に収まる板状片(7a)の表板側に有色材(7b)を設け、該有色材を施した表面(70)側に前記賞牌(D)が載置されるようにした受片(7)と、をさらに具備し、前記スペーサ(6)の背面(61)と、第2中空部(S2)におさまる前記透視板(1)の透視裏面(110)に該賞牌(D)側を当てるように配した賞牌(D)付き受片(7)の背面(71)と、の双方に、前記裏当て材(5)の押え面(50)が当接することを特徴とする。請求項５の発明たる額縁は、請求項４で、間仕切り膜(2b)が、その両側縁に沿って前記第1中空部(S1)側、前記第2中空部(S2)側へそれぞれはみ出す一定幅の余裕代部分(28)をさらに備え、且つ該余裕代部分(28)と前記露出部分(27)とで、第1中空部(S1)及び第2中空部(S2)の周縁を周回する均整代部分(26)を形成し、第1中空部(S1)の該均整代部分(26)に、シート状飾品(4)に係る周縁部分(45)の全周を重ね、該シート状飾品(4)の主要部(44)が第1中空部内の前記透視板(1)の透視裏面(110)に当てるように配されると共に、第2中空部(S2)の該均整代部分(26)に、受片(7)に係る周縁部分(75)の全周を重ねて、受片(7)の主部(74)が第2中空部(S2)内の前記透視板(1)の透視裏面(110)に当てるように配されることを特徴とする。
【発明の効果】
【０００７】
本発明の額縁は、叙勲表彰状等のシート状飾品が豪華で大きくても、従来の額縁に存在した外枠の枠体がなくなるため、その分、小さくなってマンション室内でも飾り易く、且つ軽量になって壁等に吊すことができ、さらに従前のガラス板に代えて樹脂製透視板を採用するので、軽量化が一段と進み、扱い易く、加えて、落ちても割れないなど優れた効果を発揮する。
【図面の簡単な説明】
【０００８】
【図１】実施形態１における額縁を正面側から見た斜視図である。
【図２】図１の部分拡大図である。
【図３】額縁本体の表面側斜視図である。
【図４】図３の額縁本体の裏面側斜視図である。
【図５】図４のV-V線矢視図である。
【図６】図５の額縁本体の裏面側に賞牌付き受片と賞状とスペーサを収めた説明断面図である。
【図７】図６にさらに裏当て材を当てた後、止具で係止した断面図である。
【図８】受片上に賞牌をセットした斜視図である。
【図９】額縁本体の透視板裏面へ図８の賞牌,受片と賞状とをセットした斜視図である。
【図１０】図９の賞状の上にスペーサを載置した斜視図である。
【図１１】図１０のスペーサ及び受片の上に裏当て材を当接させ、該裏当て材を止具で係止した斜視図である。
【図１２】図１１の本額縁の試作品を表側からみた説明画像図である。
【図１３】図１１の本額縁の試作品を表側からみた説明画像図である。
【図１４】実施形態２における額縁を正面側から見た斜視図である。
【図１５】図１４の額縁を裏面側からみた分解斜視図である。
【図１６】実施形態３で、（イ）が額縁を正面側から見た斜視図、（ロ）が（イ）の額縁を裏面側からみた分解斜視図である。
【発明を実施するための形態】
【０００９】
以下、本発明に係る額縁について詳述する。
（１）実施形態１
図１〜図１３は本発明の額縁の一形態で、シート状飾品４を叙勲記念用表彰状４ａ(以下、「賞状」ともいう)とし、これと賞牌Ｄ(記章)とを一緒に収めた叙勲用額縁になっている。叙勲用額縁の叙勲とは勲等に叙して勲記,勲章を授けることをいうが、ここでいう勲章には褒章を含む。栄誉のしるしとしての勲章又は褒章の賞牌Ｄが、賞状４ａと一緒に額縁に収められる。
図１はその正面側斜視図、図２は図１の部分拡大図、図３は額縁本体の表面側斜視図、図４は図３の額縁本体の裏面側斜視図、図５は図４のV-V線矢視図、図６は図５の額縁本体に賞牌付き受片と賞状とスペーサを収めた説明断面図、図７は図６にさらに裏当て材を当て、止具で係止した断面図、図８は受片上に賞牌をセットした斜視図、図９は額縁本体の透視板裏面へ図８の賞牌,受片と賞状とをセットした斜視図、図１０は図９の賞状上にスペーサを載置した斜視図、図１１は図１０のスペーサ,受片に裏当て材を当接させ、該裏当て材を止具で係止した斜視図、図１２,図１３は図１１の本額縁の試作品を表側からみた説明画像図で、図１,図３に相当する。尚、図面を判り易くするため、透視板,皮膜の厚みを大きく描き、図２は透明の透視板をなしと仮定した引き出し線とする。図３〜図１０は止具Ｔの図示を省く。
【００１０】
額縁は、透視板１と皮膜２と堤部３と受片７とスペーサ６と裏当て材５と止具Ｔとを具備する。透視板１は透視性のある合成樹脂製板体である。透視板１は透視できればよく、色付きでもよい。ここでは、アクリル樹脂からなる方形板状の透明板で、図１,図１２のような横長の矩形板になっている。透視板１は、例えば縦約45cm、横100cm弱の大きさで、厚みは3mmほどになる。透視板１の表側外周縁は図５〜図７のような面取りがなされるが、他図はその面取りの図示を省く。
【００１１】
皮膜２は前記透視板１の裏面１１側で、その外周縁１６域から内側中央に向かう膜幅Ｗを有し、中央側を中空部Ｓにして該外周縁１６の周囲を枠状に囲う塗膜又はフィルムで形成される。透視板裏面１１に固着一体化される不透明の薄い層である(図１,図５)。皮膜表面２０が従来の飾り板の役目を担う。皮膜２は塗料による塗膜やフィルムによることもできるが、本実施形態の皮膜２は、青色又は黒色等のインクを用いたスクリーン印刷による塗膜で形成される。スキージでインクなどの媒体を、ステンシルスクリーン(又は、シルクスクリーンやペンキスクリーン等)の網目を通過させて、透視板裏面１１上に枠状に囲うパターンを転写形成したスクリーン印刷による皮膜２になっている。スクリーン印刷は孔版印刷の一種で、シルクスクリーン,シルク印刷とも呼ばれ、好適な皮膜形成手段である。例えば、透視板裏面１１にフィルムを貼着して皮膜２を形成することも可能である。ただ、フィルムにすると、時に透視板裏面１１へ空気を巻き込んでしまう不具合が見られる。皮膜２は塗装等でも構わないが、スクリーン印刷による皮膜２の方が品質的に安定する。且つ、多品種少量印刷に適したスクリーン印刷は、少量で種々のタイプのものを揃える必要がある叙勲用額縁に打ってつけになっている。
皮膜２は、透視板１の裏面１１側で、その外周縁１６から内側中央に向かう膜幅Ｗを有して、裏面視で、該外周縁１６の周囲を囲う中空四角形を形成する。
【００１２】
ここでは、一つの額縁に賞状４ａと賞牌Ｄとを一緒に収めるので、皮膜２が賞状４ａと賞牌Ｄに係るそれぞれの周囲を飾り板用縁飾りになるよう取り囲む。皮膜２が、透視板１の裏面１１側で、その外周縁１６から内側中央に向かう膜幅Ｗを有して、長辺部２３と短辺部２４とで該外周縁１６の周囲を囲う横長の中空四角形した縁飾り用外周皮膜２ａを具備する。これに加え、横長の中空四角形に係る両長辺部２３間を接続する帯状の間仕切り膜２ｂを具備する(図１,図２)。該間仕切り膜２ｂが、該外周皮膜２ａでつくる中空部Ｓを、シート状飾品４たる賞状４ａが配される第1中空部Ｓ１と、賞牌Ｄが配される第2中空部Ｓ２とに二分割する。尚、長辺部２３,短辺部２４,間仕切り膜２ｂの膜幅Ｗを略同じくするが、異にすることもできる。図中、符号Ｄ１は賞牌本体、符号Ｄ２は賞牌本体を胸や首にかけるための保持具、符号Ｋは保持具を介して賞牌Ｄを受片７に取付け固定する金具を示す。
【００１３】
堤部３は、皮膜２に係る内周縁部分の裏面２１を露出部分２７として残して、皮膜裏面２１に被着一体化される方形枠状体である。堤部３の幅Ｗ１は、堤部が固着する皮膜２の皮膜幅Ｗよりも若干小さい。露出部分２７の幅は数ミリほどで、その幅を略一定にする。堤部３は、図４,図５のごとく横断面矩形の木製角柱材等で組立て形成される。皮膜裏面２１に堤部３を被着するので、透視板１の正面から見ると、その背後に該堤部３が隠れ、スッキリした外観となる(図１,図１２)。透視板１の裏面に皮膜２,堤部３が一体化した額縁本体Ｐになる。図１２の堤部３は、皮膜２の外周縁よりも僅かに内側中空部Ｓ寄りの皮膜２上に配されており、デザイン的に見て、額縁本体Ｐがよりスッキリした形になっている。
【００１４】
ここでの堤部３は、裏面視、横長の中空四角形した縁飾り用外周皮膜２ａ,間仕切り膜２ｂを備えた皮膜２に相呼応させ、該外周皮膜２ａに対応する箇所に方形枠体状の横長枠状堤部３ａを設け、該間仕切り膜２ｂに対応する箇所に間仕切り堤部３ｂを設けている(図４)。該間仕切り膜２ｂが、その両側縁に沿って前記第1中空部Ｓ１側、前記第2中空部Ｓ２側へそれぞれはみ出す一定幅の余裕代部分２８を備える。該余裕代部分２８と前記露出部分２７とで、第1中空部Ｓ１及び第2中空部Ｓ２の周縁を周回する均整代部分２６を形成し、第1中空部Ｓ１の該均整代部分２６に、賞状４ａに係る周縁部分４５の全周を重ね、賞状４ａの主要部４４が第1中空部Ｓ１内の透視板１の透視裏面１１０に当てるように配されると共に、第2中空部Ｓ２の該均整代部分２６に、受片７に係る周縁部分７５の全周を重ねて、受片７の主部７４が第2中空部Ｓ２内の透視板１の透視裏面１１０に当てるように配される(図５,図６)。
尚、間仕切り堤部３ｂは、図９の丸印に在る拡大図が示すように、横長枠状堤部３ａよりも少し低く設定される。堤部３の裏面３１には、止具Ｔが図１１のごとく随所に取付けられる。
【００１５】
前記受片７は、前記第2中空部Ｓ２を取り囲む前記堤部３内に収まるクッション性板状片７ａの表板側に有色材７ｂを設け、該有色材７ｂを施した表面７０側に賞牌Ｄが載置されるようにした板片である。透視板１に皮膜２,堤部３を一体化してなる額縁本体Ｐと別体構成とする。
本実施形態の受片７は、弾性変形可能な軟質発泡成形品からなる主要板状片７ａの表板面に、ビロード,ベルベット,モケット等のパイル織物からなる有色材７ｂ(ここではビロード)を貼着一体化する一方、板状片７ａの裏板面に、剛性のある薄板７ｃを貼着一体化させたものである。パイル織物が、皮膜２の色に合わせて、高級感漂う紺色や黒色等に染め付けされた有色材７ｂになっている。図８のように、ビロードからなる有色材７ｂの上に賞牌Ｄを載せると、第2中空部Ｓ２に配設する賞牌Ｄ付き受片７側の準備が整う。図２、図８中、符号ＮＰは受章記念を祝う送り主のネームプレート、符号Ｇは菊花紋章を示し、これらも有色材７ｂの上に載置セットされる。
斯かる賞牌Ｄ付き受片７は、第2中空部Ｓ２におさまる前記透視板１の透視裏面１１０へ賞牌Ｄ側を当てるように配される。さらに第1中空部Ｓ１に収められる賞状４ａと一緒に、裏当て材５にあてがわれて保持されるが、賞状４ａの背後に空所ができるので、該空所を埋めるスペーサ６が設けられる。
【００１６】
スペーサ６は、第1中空部Ｓ１を取り囲む前記堤部３内に収まる大きさの発泡樹脂成形板である。スペーサ６は額縁本体Ｐ,受片７と別体構成とする。
本スペーサ６は、発泡スチロール等からなる硬質の発泡樹脂成形板を所定大きさに切断したカット品を用いる。主要部４４が前記透視板１の透視裏面１１０に当てるように配されるシート状飾品４たる賞状４ａの裏面４１に(図９)、スペーサ６の押当て面６０が当接するよう配設される(図６)。
額縁本体Ｐの透視板１側をテーブルに対向させて載せ、第1中空部Ｓ１を取り囲む前記堤部３内の透視裏面１１０に賞状４ａ,スペーサ６を載置し、第2中空部Ｓ２を取り囲む前記堤部３内の透視裏面１１０に賞牌Ｄ付き受片７を載置すると、スペーサ背面６１,受片背面７１,間仕切り堤部の裏面３１０が略面一になる(図１０)。受片背面７１,スペーサ背面６１の双方に裏当て材５を当接させ、該裏当て材５で安定保持させる狙いがある。ここで、受片背面７１は、スペーサ背面６１,間仕切り堤部３ｂの裏面３１０よりも若干高くなっても構わない。裏当て材５で、受片７のクッション性板状片７ａを弾性圧縮変形させ、止具Ｔにより係止できるからである。弾性圧縮変形させると、止具Ｔにより裏当て材５を係止した際、板状片７ａの弾性復元力が働いて係止保持が確実になり、より好ましくなる。
【００１７】
裏当て材５は、透視板１いいかえれば額縁本体Ｐ,受片７,スペーサ６と別体の板状体である。賞状４ａの周縁部分４５を前記露出部分２７に重ねると共に、主要部４４を前記中空部Ｓに在る透視板１の透視裏面１１０に当てるように配される該賞状４ａへ、押え面５０側があてがわれ、且つ背面側外周部５５１が前記堤部３に設けた止具Ｔにより係止されて、堤部３に保持される板材になっている。
ここでは、賞状裏面４１にスペーサ６の押当て面６０を当てている。故に、該スペーサ６の背面６１と、第2中空部Ｓ２におさまる前記透視板１の透視裏面１１０に賞牌Ｄ側を当てるように配した賞牌Ｄ付き受片７の背面７１と、の双方に、押え面５０が当接する大きさの裏当て材５とする。裏当て材５は、図１１のごとく、方形枠体状の横長枠状堤部３ａ内にぴったりと収まる矩形板になっている。既述のごとく間仕切り堤部３ｂを横長枠状堤部３ａよりも少し低く設定するが、その高低差に裏当て材５の板厚を略等しくさせている。
【００１８】
止具Ｔは、堤部３の裏面に取着される裏当て材用係止具Ｔで、公知品である。堤部３へ打ち込み埋設一体化させた軸体Ｔ１に対し、爪体Ｔ２が堤部裏面３１で回動自在に取付けられる。図７,図１１のごとく、止具Ｔが堤部裏面３１の複数箇所に設けられる。
例えば、額縁本体Ｐの裏面側を上向きにして、第1中空部Ｓ１に賞状４ａ,スペーサ６をセットし、第2中空部Ｓ２に賞牌Ｄ付き受片７をセットする。このとき、爪体Ｔ２は図１１の鎖線図示のごとく中空部Ｓ,枠状堤部３内に入り込まないようにしておく。しかる後、双方の上に裏当て材５を被せた後、爪体Ｔ２を回す。図７,図１１のごとく裏当て材５の背面側外周部５５１に爪体Ｔ２を係止させて、該爪体Ｔ２を介して、裏当て材５を額縁本体Ｐ側で一体保持する。後は、例えば、堤部裏面３１に設けた壁掛け具Ｋに紐Ｍを通せば、該紐Ｍにより、図１,図１２の起立状態でマンション等の壁などにも吊すことのできる所望の額縁となる。
【００１９】
（２）実施形態２
図１４,図１５は、叙勲記念用シート状飾品４として勲章・褒章の受章記念写真４ｂを採用し、これを収めた叙勲用額縁になっている。受賞者夫婦の記念写真４ｂが額縁に収められる。図１４はその正面側から見た斜視図、図１５は裏面側から見た分解斜視図である。
【００２０】
額縁は、額縁本体Ｐと、これと別体のスペーサ６,裏当て材５とを備える。
額縁本体Ｐは、矩形の樹脂製透視板１の裏面１１に枠状皮膜２を固着一体化し、さらに該皮膜２に枠状堤部３を被着一体化したものである。不透明の縁飾り用皮膜２は、透視板１の裏面１１側で、その外周縁１６から内側中央に向かう膜幅Ｗを有し、中央側を中空部Ｓにして該外周縁１６の周囲を枠状に囲う塗膜で一体形成される。皮膜２がインクを用いたスクリーン印刷による塗膜で形成される。そして、堤部３が、皮膜２に係る全内周縁部分の裏面２１を露出部分２７として残して、皮膜裏面２１に固着一体化される。
全内周縁部分の露出部分２７が中空部Ｓの周縁を周回する均整代部分２６を形成し、該均整代部分２６に、記念写真４ｂに係る周縁部分４５の全周を重ね、記念写真４ｂの主要部４４が中空部Ｓ内に在る透視板１の透視裏面１１０に当てるように配される。本実施形態は、実施形態１の間仕切り膜２ｂ,間仕切り堤部３ｂがない。中空部Ｓは実施形態１の第1中空部Ｓ１に相当する。
【００２１】
スペーサ６は中空部Ｓを取り囲む前記堤部３内に収まる大きさの発泡樹脂成形板である。主要部４４が透視板１の透視裏面１１０に当てるように配される記念写真４ｂの裏面４１に、押当て面６０が当接するスペーサ６になっている。
ここで、実施形態１は、紙一枚の賞状４ａと、厚み幅がある程度必要な賞牌Ｄ付き受片７とで、両者の厚み幅調整を要するために、賞状４ａ側にスペーサ６が必要になっていた。本実施形態は紙一枚の記念写真４ｂを収めるだけなので、スペーサ６をなしにし又は薄くして、その分、堤部３の高さを低く設定することもできる。
【００２２】
裏当て材５は、額縁本体Ｐにセットした記念写真４ｂに押え面５０側があてがわれ、且つ背面側外周部５５１が堤部３に設けた止具Ｔにより係止されて、額縁本体Ｐに保持される矩形平板である。堤部３内に嵌合する大きさの裏当て材５になっている。スペーサ６が存在するときは、額縁本体Ｐの裏面側にセットした記念写真４ｂの裏面４１側にスペーサ６が収められる。そして、該スペーサ６の背面６１に裏当て材５の押え面５０を直接あてがい、該裏当て材５の背面側外周部５５１が堤部３に設けた止具Ｔにより係止されて、記念写真４ｂを収めることのできる所望の額縁になる。例えば図１４のごとく額立てＧＴで額縁を起立保持してテーブル,棚等に飾ることができる。他の構成は実施形態１と同様で、その説明を省く。実施形態１と同一符号は同一又は相当部分を示す。
【００２３】
（３）実施形態３
図１６は叙勲記念用シート状飾品４に、勲章・褒章の受章された人達の記念全体写真４ｃを採用し、これを収めた叙勲用額縁になっている。宮中や皇居前等での全体写真４ｃが額縁に収められている。図１６の（イ）は、その正面側から見た斜視図、同図（ロ）は裏面側から見た分解斜視図である。実施形態２の記念写真４ｂとは収める全体写真４ｃの大きさが違うため、額縁のサイズがやや異なる。しかし、額縁本体Ｐ,スペーサ６,裏当て材５の各基本構成は実施形態２と同じで、その説明を省く。実施形態１と同一符号は同一又は相当部分を示す。
【００２４】
（４）効果４
このように構成した額縁は、透視板１の裏面１１側で、その外周縁１６域から内側中央に向かう膜幅Ｗを有し、中央側を中空部Ｓにして該外周縁１６の周囲を枠状に囲う塗膜又はフィルムで形成され、透視板裏面１１に固着一体化される不透明の縁飾り用皮膜２を備えるので、該皮膜２が従来の飾り板,縁飾りシートの代わりになる。従来の額縁で必要とした飾り板,縁飾りシートをなしで済ませることができる。皮膜２がスクリーン印刷による塗膜で形成されると、品質的に安定し、且つ比較的低コストで少量多品種に対応し易くなる。
そして、皮膜裏面２１に被着一体化される枠状の堤部３が設けられると、堤部３は透視板１,皮膜２の裏面側へ凸状に突出させるだけで済ますことができる。従来品に存在した飾り板(ここでは皮膜２)の外周縁からさらに外方へ張り出して囲う外枠の枠体をなしにできるので、額縁の正面視面積が小さくなる(図１)。叙勲用額縁のような叙勲記念用シート状飾品４が大きなものでも、マンション室内の壁にも容易に吊るすことができる。
本額縁は、従来品に存在した外枠の枠体がなく、且つ堤部３が存在しても正面視で皮膜２の後ろに隠れるので、図１２のごとくモダンで見栄えも向上する。
さらに、透視板１が方形板状にして、皮膜２が透視板１の裏面１１側で、その外周縁１６から内側中央に向かう膜幅Ｗを有して、該外周縁１６の周囲を囲う中空四角形にするので、叙勲記念用シート状飾品４の四角形である形状とマッチし、
デザイン的にすっきりし且つ機能的にも優れた額縁形状となる。
加えて、従来品のガラス板に代えて樹脂製透視板１とするので、軽量になる。取扱い,使い勝手が良く、且つ樹脂製透視板１なので、壁等に吊るした額縁が落下してもガラス板のように割れることがない。従来品に用いられていた飾り板や外枠の枠体がなくなる分、小型化でき、且つ軽量化が一段と進む。スペーサ６が硬質発泡体で、受片主要部たる板状片７ａが軟質発泡体であると、額縁の軽量化にさらに貢献できる。
【００２５】
また、皮膜２に係る内周縁部分の裏面２１を露出部分２７として残して、皮膜裏面２１に被着一体化される枠状の堤部３とし、周縁部分４５を該露出部分２７に重ねると共に主要部４４を中空部Ｓにおさまる透視裏面１１０に当てるように配される叙勲記念用シート状飾品４へ、裏当て材５をあてがうと、叙勲記念用シート状飾品４の周縁部分４５と露出部分２７との間に隙間が生じないので、叙勲記念用シート状飾品４を額縁に綺麗に飾ることができる。
【００２６】
そして、皮膜２が縁飾り用外周皮膜２ａと間仕切り膜２ｂを備えて、該間仕切り膜２ｂが第1中空部Ｓ１と第2中空部Ｓ２とに分割され、さらに堤部３が横長枠状堤部３ａと間仕切り堤部３ｂを備えると、叙勲記念用シート状飾品４たる賞状４ａ等と一緒に賞牌Ｄを額縁に飾ることができる。豪華な額縁になる。賞牌Ｄを一緒にしても、外枠の枠体に代わって堤部３を採用するので、思ったほど大きくならず、従来品に比べ一回り小さくなってマンション室内でも飾り易くなる。
さらに、間仕切り膜２ｂが余裕代部分２８を備え、且つ該余裕代部分２８と露出部分２７とで、第1中空部Ｓ１及び第2中空部Ｓ２の周縁を周回する均整代部分２６を形成すると、第1中空部Ｓ１の該均整代部分２６に、叙勲記念用シート状飾品４に係る周縁部分４５の全周を重ね、第2中空部Ｓ２の該均整代部分２６に、受片７に係る周縁部分７５の全周を重ねることが可能になる。叙勲記念用シート状飾品４に係る周縁部分４５と均整代部分２６、受片７に係る周縁部分７５と均整代部分２６との間に隙間をなくして、叙勲記念用シート状飾品４,賞牌Ｄを額縁に綺麗に飾ることができる。さらにいえば、均整代部分２６の存在で、叙勲記念用シート状飾品４,受片７の額縁へのセットが円滑に進む。
【００２７】
また、第1中空部Ｓ１を取り囲む前記堤部３内に収まるスペーサ６と、第2中空部Ｓ２を取り囲む堤部３内に収まる受片７とを、備えても、スペーサ６の背面６１と、第2中空部Ｓ２におさまる前記透視板１の透視裏面１１０に賞牌Ｄ側を当てるように配した賞牌Ｄ付き受片７の背面７１と、の双方に、図７のごとく一枚ものの裏当て材５で当接可能になる。
スペーサ６が発泡樹脂成形板であると、これが図６のように大きくても、軽量化できる。受片７がクッション性板状片７ａの表板側に見栄えの良い有色材７ｂを設け、この有色材７ｂを施した表面７０側に賞牌Ｄが載置されるようにすると、有色材７ｂに賞牌Ｄを載せた場合、クッション性板状片７ａが図７のようにうまく沈むので、第2中空部Ｓ２に賞牌Ｄ付き受片７を額縁に綺麗に収めることができる。クッション性板状片７ａの裏面に剛性ある薄板７ｃが存在するので、第2中空部Ｓ２への賞牌Ｄ付き受片７のセット等で特に支障はない。
このように叙勲用等として特に好適な本額縁は、上述した数々の優れた効果を発揮し、極めて有益で多大な効を奏する。
【００２８】
尚、本発明においては前記実施形態に示すものに限られず、目的,用途に応じて本発明の範囲で種々変更できる。透視板１,皮膜２,堤部３,シート状飾品４,裏当て材５,スペーサ６,受片７,賞牌Ｄ等の形状,大きさ,個数,材料,材質等は用途に合わせて適宜選択できる。例えば、本発明の額縁は、シート状飾品４として、実施形態で示した叙勲用額縁に限ることなく、遺影等を飾る額縁として用いることもできる。
【符号の説明】
【００２９】
１        透視板
１１      透視板裏面（裏面）
１１０    透視裏面
１６      外周縁
２        皮膜
２１      皮膜裏面（裏面）
２６      均整代部分
２７      露出部分
２８      余裕代部分
２ａ      外周皮膜
２ｂ      間仕切り膜
３        堤部
３ａ      横長枠状堤部
３ｂ      間仕切り堤部
４        叙勲記念用シート状飾品
４１      裏面
４４      主要部
４５      周縁部分
５        裏当て材
６        スペーサ
６０      押し当て面
６１      背面
７        受片
７ａ      板状片
７ｂ      有色材
Ｄ        賞牌
Ｓ        中空部
Ｓ１      第1中空部
Ｓ２      第2中空部
Ｔ        止具
Ｗ        膜幅（皮膜幅）
【図１】
2014061076.tif 000003
【図２】
2014061076.tif 000004
【図３】
2014061076.tif 000005
【図４】
2014061076.tif 000006
【図５】
2014061076.tif 000007
【図６】
2014061076.tif 000008
【図７】
2014061076.tif 000009
【図８】
2014061076.tif 000010
【図９】
2014061076.tif 000011
【図１０】
2014061076.tif 000012
【図１１】
2014061076.tif 000013
【図１４】
2014061076.tif 000014
【図１５】
2014061076.tif 000015
【図１６】
2014061076.tif 000016
【図１２】
2014061076.tif 000017
【図１３】
2014061076.tif 000018